(57)【要約】【課題】この発明は、光ディスクの基本的な規格を判別するだけでなく、同一規格の書き替え型光ディスクに対して、その記録膜の特性に基づく種類を自動判別することを可能とした光ディスク装置及びその制御方法を提供することを目的としている。【解決手段】低い光反射率の記録膜４２を高い光反射率に変化させて情報を記録すＨ−Ｌ媒体と、高い光反射率の記録膜４２を低い光反射率に変化させて情報を記録するＬ−Ｈ媒体とを選択的に再生する光ディスク装置１８において、低い光反射率の領域に対応するレベルの再生信号が得られる割合と、高い光反射率の領域に対応するレベルの再生信号が得られる割合とに基づいて、Ｈ−Ｌ媒体かＬ−Ｈ媒体かを判別する。【選択図】    図８
2005092964.tif 000002
【特許請求の範囲】
【請求項１】
記録膜の特性が異なる第１及び第２の光ディスクが選択的に装着される装着部と、
この装着部に装着された前記第１または第２の光ディスクの最内周部分を再生し、得られた再生信号のレベルに基づいて、前記装着部に前記第１及び第２の光ディスクのいずれが装着されているかを判別する判別手段とを具備したことを特徴とする光ディスク装置。
【請求項２】
前記判別手段の判別結果に基づいて、情報の記録または再生のための信号処理部を制御する制御手段を具備したことを特徴とする請求項２記載の光ディスク装置。
【請求項３】
第１の光反射率を有する第１の記録膜を、該第１の光反射率よりも低い第２の光反射率に変化させることにより情報が記録される第１の光ディスクと、前記第２の光反射率を有する第２の記録膜を、該第２の光反射率よりも高い前記第１の光反射率に変化させることにより情報が記録される第２の光ディスクとが選択的に装着される装着部と、
この装着部に装着された前記第１または第２の光ディスクを再生し、前記第１の光反射率を有する領域に対応するレベルの再生信号が得られる割合と、前記第２の光反射率を有する領域に対応するレベルの再生信号が得られる割合とに基づいて、前記装着部に前記第１及び第２の光ディスクのいずれが装着されているかを判別する判別手段と、
この判別手段の判別結果に基づいて、情報の記録または再生のための信号処理部を制御する制御手段とを具備したことを特徴とする光ディスク装置。
【請求項４】
前記判別手段は、
前記第１の光反射率を有する領域に対応するレベルの再生信号が得られる割合が、前記第２の光反射率を有する領域に対応するレベルの再生信号が得られる割合よりも多い場合に、前記第１の光ディスクであると判別し、
前記第２の光反射率を有する領域に対応するレベルの再生信号が得られる割合が、前記第１の光反射率を有する領域に対応するレベルの再生信号が得られる割合よりも多い場合に、前記第２の光ディスクであると判別することを特徴とする請求項３記載の光ディスク装置。
【請求項５】
前記制御手段は、前記判別手段の判別結果に基づいて、前記信号処理部を制御して、前記装着部に装着された第１または第２の光ディスクに記録されている自己の種類を示す情報を再生し、この再生された情報と前記判別手段の判別結果とを照合して、前記装着部に前記第１及び第２の光ディスクのいずれが装着されているかを判別することを特徴とする請求項３または４記載の光ディスク装置。
【請求項６】
前記第１の光ディスクの前記第２の光反射率の範囲は、前記第２の光ディスクの前記第１の光反射率の範囲と重複しないように設定されることを特徴とする請求項３乃至５いずれかに記載の光ディスク装置。
【請求項７】
前記第１の光ディスクの前記第２の光反射率の範囲は４〜１０％であり、前記第２の光ディスクの前記第１の光反射率の範囲は１２〜３０％に設定されることを特徴とする請求項３乃至６いずれかに記載の光ディスク装置。
【請求項８】
前記第１の光ディスクに前記第１の光反射率を有する第１の記録膜を前記第２の光反射率に変化させることにより記録される情報は、該第１の光ディスクのＢＣＡにバーコードで記録され自己の種類を示す情報を含んでおり、
前記第２の光ディスクに前記第２の光反射率を有する第２の記録膜を前記第１の光反射率に変化させることにより記録される情報は、該第２の光ディスクのＢＣＡにバーコードで記録され自己の種類を示す情報を含んでいることを特徴とする請求項３乃至７いずれかに記載の光ディスク装置。
【請求項９】
第１の記録膜の有部分が第１の光反射率となり、該第１の記録膜の無部分が前記第１の光反射率よりも低い第２の光反射率となって情報が記録される第１の光ディスクと、第２の記録膜の有部分が前記第１の光反射率よりも高い第３の光反射率となり、該第２の記録膜の無部分が前記第１の光反射率よりも低い前記第２の光反射率となって情報が記録される第２の光ディスクとが選択的に装着される装着部と、
この装着部に装着された前記第１または第２の光ディスクを再生し、前記第１の光反射率を有する領域に対応するレベルの再生信号が得られるか、前記第３の光反射率を有する領域に対応するレベルの再生信号が得られるかに基づいて、前記装着部に前記第１及び第２の光ディスクのいずれが装着されているかを判別する判別手段と、
この判別手段の判別結果に基づいて、情報の記録または再生のための信号処理部を制御する制御手段とを具備したことを特徴とする光ディスク装置。
【請求項１０】
前記判別手段は、前記装着部に装着された前記第１または第２の光ディスクを再生して得られた再生信号のレベルを、予め設定された基準レベルと比較することにより、前記第１の光反射率を有する領域に対応するレベルの再生信号と、前記第３の光反射率を有する領域に対応するレベルの再生信号とを判別することを特徴とする請求項９記載の光ディスク装置。
【請求項１１】
記録膜の特性が異なる第１及び第２の光ディスクを選択的に装着する工程と、
装着された前記第１または第２の光ディスクの最内周部分を再生し、得られた再生信号のレベルに基づいて、前記第１及び第２の光ディスクのいずれが装着されているかを判別する工程とを具備したことを特徴とする光ディスク装置の制御方法。
【請求項１２】
第１の光反射率を有する第１の記録膜を、該第１の光反射率よりも低い第２の光反射率に変化させることにより情報が記録される第１の光ディスクと、前記第２の光反射率を有する第２の記録膜を、該第２の光反射率よりも高い前記第１の光反射率に変化させることにより情報が記録される第２の光ディスクとに対して、選択的に情報の記録再生を行なう光ディスク装置の制御方法において、
装着された前記第１または第２の光ディスクを再生し、前記第１の光反射率を有する領域に対応するレベルの再生信号が得られる割合と、前記第２の光反射率を有する領域に対応するレベルの再生信号が得られる割合とに基づいて、前記第１及び第２の光ディスクのいずれが装着されているかを判別する工程と、
この判別結果に基づいて、情報の記録または再生のための信号処理部を制御する工程とを具備したことを特徴とする光ディスク装置の制御方法。
【請求項１３】
第１の記録膜の有部分が第１の光反射率となり、該第１の記録膜の無部分が前記第１の光反射率よりも低い第２の光反射率となって情報が記録される第１の光ディスクと、第２の記録膜の有部分が前記第１の光反射率よりも高い第３の光反射率となり、該第２の記録膜の無部分が前記第１の光反射率よりも低い前記第２の光反射率となって情報が記録される第２の光ディスクとに対して、選択的に情報の記録再生を行なう光ディスク装置の制御方法において、
装着された前記第１または第２の光ディスクを再生し、前記第１の光反射率を有する領域に対応するレベルの再生信号が得られるか、前記第３の光反射率を有する領域に対応するレベルの再生信号が得られるかに基づいて、前記第１及び第２の光ディスクのいずれが装着されているかを判別する工程と、
この判別結果に基づいて、情報の記録または再生のための信号処理部を制御する工程とを具備したことを特徴とする光ディスク装置の制御方法。
【発明の詳細な説明】
【技術分野】
【０００１】
この発明は、光ディスクに対して情報の記録再生を行なう光ディスク装置及びその制御方法に係り、特にその光ディスクの規格を自動判別するものに関する。
【背景技術】
【０００２】
周知のように、近年では、情報の高密度記録技術が促進されており、片面１層に４．７ＧＢ（Giga Byte）もの記録容量を有する光ディスクが実用化されている。
【０００３】
この種の光ディスクには、例えば、再生専用のＤＶＤ−ＲＯＭ（Digital Versatile Disk−Read Only Memory）、書き替え可能なＤＶＤ−ＲＡＭ（Random Access Memory）、ＤＶＤ−ＲＷ（Rewritable）、＋ＲＷ、追記可能なＤＶＤ−Ｒ（Recordable）等のように、種々の規格のものが存在する。
【０００４】
そして、数種類の規格の光ディスクを選択的に装着して記録再生を行なうことが可能な光ディスク装置では、光ディスクの光反射率が規格によって異なることを利用して、装着された光ディスクの規格を自動的に判別し、その判別結果に基づいて各部の調整や設定を変更する機能が備えられている。
【０００５】
ところで、現在の書き替え型光ディスクは、同一規格のものであっても、使用される記録膜の特性によって、さらに複数の種類に細分化されてきている。
【０００６】
具体的に言えば、光反射率が高く、その反射光を光電変換した結果がＨ（High）レベルとなる特性の記録膜を、光反射率が低く、その反射光を光電変換した結果がＬ（Low）レベルとなる特性に反転させてデータを記録していくタイプの光ディスク（以下、Ｌ−Ｈ媒体という）と、光反射率が低く、その反射光を光電変換した結果がＬレベルとなる特性の記録膜を、光反射率が高く、その反射光を光電変換した結果がＨレベルとなる特性に反転させてデータを記録していくタイプの光ディスク（以下、Ｈ−Ｌ媒体という）とに分化されている。
【０００７】
このため、光ディスク装置としては、単に、ＤＶＤ−ＲＡＭ、ＤＶＤ−ＲＷ、＋ＲＷ等の基本的な規格を判別するだけでなく、同一規格の書き替え型光ディスクに対して、Ｌ−Ｈ媒体かＨ−Ｌ媒体かも自動的に判別して、各部の調整や設定を変更する機能を持つことが肝要になる。
【０００８】
特許文献１には、装着された光ディスクにフォーカスサーチを施し、その結果得られたフォーカスエラー信号に基づいて光ディスクの光反射率を測定することにより、ＣＤ（Comapct Disk）−ＲＯＭまたはＣＤ−ＲとＣＤ−ＲＷとの判別を行ない、判別結果に応じて再生・記録用の各回路を切り替えるようにした構成が開示されている。
【０００９】
しかしながら、この特許文献１には、同一規格の書き替え型光ディスクに対して、さらに、使用されている記録膜の特性に起因するタイプ（Ｌ−Ｈ媒体かＨ−Ｌ媒体か）を自動判別することについては何らの記載もなされていないものである。
【特許文献１】特開２００１−２６６３６７号公報
【発明の開示】
【発明が解決しようとする課題】
【００１０】
そこで、この発明は上記事情を考慮してなされたもので、光ディスクの基本的な規格を判別するだけでなく、同一規格の書き替え型光ディスクに対して、その記録膜の特性に基づく種類を自動判別することを可能とした光ディスク装置及びその制御方法を提供することを目的とする。
【課題を解決するための手段】
【００１１】
この発明に係る光ディスク装置は、記録膜の特性が異なる第１及び第２の光ディスクが選択的に装着される装着部と、この装着部に装着された第１または第２の光ディスクの最内周部分を再生し、得られた再生信号のレベルに基づいて、装着部に第１及び第２の光ディスクのいずれが装着されているかを判別する判別手段とを備える。
【００１２】
また、この発明に係る光ディスク装置の制御方法は、記録膜の特性が異なる第１及び第２の光ディスクを選択的に装着する工程と、装着された第１または第２の光ディスクの最内周部分を再生し、得られた再生信号のレベルに基づいて、第１及び第２の光ディスクのいずれが装着されているかを判別する工程とを備える。
【発明の効果】
【００１３】
上記した構成及び方法によれば、記録膜の特性が異なる第１または第２の光ディスクの最内周部分を再生して得られた再生信号のレベルに基づいて、第１及び第２の光ディスクのいずれが装着されているかを判別するようにしたので、光ディスクの基本的な規格を判別するだけでなく、同一規格の書き替え型光ディスクに対して、その記録膜の特性に基づく種類を自動判別することが可能となる。
【発明を実施するための最良の形態】
【００１４】
以下、この発明の実施の形態について図面を参照して詳細に説明する。図１は、単層書き替え型光ディスク１１における情報記録領域の構造を示している。この光ディスク１１には、その内周側から外周側に向けて、ＢＣＡ（Burst Cutting Area）１２、システムリードインエリア（System Lead-in Area）１３、コネクションエリア（Connection Area）１４、データリードインエリア（Data Lead-in Area）１５、データエリア（Data Area）１６、データリードアウトエリア（Data Lead-out Area）１７が形成されている。
【００１５】
そして、データリードインエリア１５、データエリア１６、データリードアウトエリア１７では、情報記録層の凹凸によって情報記録トラックを形成するランド・グルーブ方式が採用されている。また、記録された情報は、最内周のＢＣＡ１２から外周側に向けて読み出される。
【００１６】
この光ディスク１１のＢＣＡ１２には、図２に示すように、バーコードによって情報が書き込まれている。このバーコードによって書き込まれた情報には、図３に示すように、規格書のブックバージョン（Book Version）や著作権保護の情報が含まれている。
【００１７】
ＢＣＡ１２にバーコードで情報を書き込むためには、光ディスク１１全体の記録膜を初期化した後に、レーザトリミングによって記録膜及び反射膜を除去する手法と、記録膜の初期化状態と未初期化状態との光反射率の違いを利用する手法との２通りがある。
【００１８】
図４は、上記システムリードインエリア１３、コネクションエリア１４、データリードインエリア１５のデータ構造を示している。システムリードインエリア１３には、内周側から外周側に向けて、イニシャルゾーン（Initial Zone）１３ａ、バッファゾーン（Buffer Zone）１３ｂ、コントロールデータゾーン（Control Data Zone）１３ｃ、バッファゾーン１３ｄの４つのゾーンが構成されている。
【００１９】
コネクションエリア１４は、コネクションゾーン（Conection Zone）１４ａのみで構成されている。データリードインエリア１５には、内周側から外周側に向けて、ガードトラックゾーン（Guard Track Zone）１５ａ、ディスクテストゾーン（Disk Test Zone）１５ｂ、ドライブテストゾーン（Drive Test Zone）１５ｃ、ガードトラックゾーン１５ｄ、ディスクＩＤゾーン（Disk Identification Zone）１５ｅ、ＤＭＡ１＆ＤＭＡ２  １５ｆの６つのゾーンが構成されている。
【００２０】
図５は、上記した光ディスク１１に対して情報の記録再生を行なう光ディスク装置１８を示している。すなわち、光ディスク１１は、ディスクドライブ部１９に装着される。このディスクドライブ部１９は、装着された光ディスク１１を回転駆動し、光ヘッド１９ａを用いて光ディスク１１に対する情報の記録再生を行なうものである。
【００２１】
まず、このディスクドライブ部１９で読み取られた情報は、データプロセッサ部２０に供給されてエラー訂正処理が施された後、トラックバッファ２０ａに格納される。このトラックバッファ２０ａに格納された情報のうち、管理情報はメモリ部２１に記録され、再生時の制御や各種情報の管理等に利用される。
【００２２】
また、上記トラックバッファ２０ａに格納された情報のうち、主映像、音声及び副映像等の情報は、分離部２２に供給されて主映像パック、音声パック及び副映像パック毎に分離される。主映像パックの情報は映像デコーダ部２３、音声パックの情報は音声デコーダ部２４、副映像パックの情報は副映像デコーダ部２５にそれぞれ供給されてデコード処理が行なわれる。
【００２３】
このうち、映像デコーダ部２３でデコード処理された主映像情報と、副映像デコーダ部２５でデコード処理された副映像情報とは、映像プロセッサ部２６に供給されて重畳処理が施された後、Ｄ／Ａ（Digital／Analog）変換部２７でアナログ化され、映像信号として光ディスク装置１８の外部に出力される。また、上記音声デコーダ部２４でデコード処理された音声情報は、Ｄ／Ａ変換部２８でアナログ化され、音声信号として光ディスク装置１８の外部に出力される。
【００２４】
一方、この光ディスク装置１８は、外部から映像情報及び音声情報を入力し、Ａ／Ｄ（Analog／Digital）変換部２９，３０でそれぞれデジタル化している。このうち、Ａ／Ｄ変換部２９でデジタル化された映像情報は、映像プロセッサ部３１に供給されて主映像パックと副映像パックとが生成される。
【００２５】
そして、映像プロセッサ部３１で生成された主映像パックは、映像エンコーダ部３２でエンコード処理され、副映像パックは副映像エンコーダ部３３でエンコード処理される。また、Ａ／Ｄ変換部３０でデジタル化された音声情報は、音声エンコーダ部３４に供給されて音声パック毎にエンコード処理される。
【００２６】
その後、各エンコーダ部３２，３３，３４でそれぞれエンコード処理された主映像、福映像及び音声の各パックは、合成部３５に供給されて合成される。合成されたパックは、データプロセッサ部２０の制御に基づいて、ディスクドライブ部１９を介して光ディスク１１に記録される。
【００２７】
上記のような一連の記録再生動作は、ＭＰＵ（Micro Processing Unit）部３６によって統括的に制御されている。このＭＰＵ部３６は、ＲＯＭ部３７に格納された制御プログラムに基づいて、キー入力部３８で入力された操作情報を反映するように、各部１９〜２５を制御している。
【００２８】
ここで、書き替え型の光ディスク１１にあっては、例えば、記録再生された情報の信頼性を重視する、書き替え回数を重視する、記録速度を重視する等のように、その目的用途に応じて多種類の記録膜が開発されている。そして、光ディスク１１が、前述したＬ−Ｈ媒体であるかＨ−Ｌ媒体であるかは、使用されている記録膜の特性に依存する。
【００２９】
現状の光ディスク装置では、書き替え型の光ディスク１１における再生信号特性が厳密に規定されているために、目的用途別に記録膜の種類を変えた光ディスク１１が混在する状況に対処すること、つまり、Ｌ−Ｈ媒体とＨ−Ｌ媒体とのいずれの光ディスク１１に対しても適応的に記録再生を行なうことは不可能である。
【００３０】
図６は、上記した光ディスク装置１８において、装着された光ディスク１１がＬ−Ｈ媒体であるかＨ−Ｌ媒体であるかを自動判別し、その光ディスク１１に適応した記録再生処理を実現するための、つまり、Ｌ−Ｈ媒体とＨ−Ｌ媒体との混在使用を可能とするための動作を示すフローチャートである。
【００３１】
まず、上記したディスクドライブ部１９に光ディスク１１が装着されることにより、動作が開始（ステップＳ１）されると、ＭＰＵ部３６は、ステップＳ２で、光ディスク１１を回転駆動させ、ステップＳ３で、光ヘッド１９ａを光ディスク１１の最内周部に移動させ、ステップＳ４で、光ヘッド１９ａ内のレーザダイオードを発光させる。
【００３２】
そして、ＭＰＵ部３６は、ステップＳ５で、光ディスク１１の表面反射位置を見つけ、光ヘッド１９ａ内の対物レンズをフォーカス方向に移動させて合焦点位置を検索する、いわゆるフォーカスサーチを実行する。このフォーカスサーチ時に、ＭＰＵ部３６は、ステップＳ６で、再生信号のレベルから光反射率の測定を行なうことにより、書き替え型の光ディスク１１が装着されていることを認識する。
【００３３】
その後、ＭＰＵ部３６は、ステップＳ７で、光ヘッド１９を光ディスク１１の径方向に移動させてＢＣＡ１２を検出し、ステップＳ８で、光ディスク１１がＬ−Ｈ媒体であるかＨ−Ｌ媒体であるかを判別する。この判別は、詳細は後述するが、ＢＣＡ１２での記録膜の反射率の違いによる再生信号レベルの違いと、ＢＣＡ１２に記録されたバーコード情報（Book Version）の読み取り結果とに基づいて行なわれる。
【００３４】
次に、ＭＰＵ部３６は、ステップＳ９で、先のステップＳ８で判別した光ディスク１１の記録再生に適応するように各部の調整や設定を変更し、ステップＳ１０で、エンベロープ検出によりシステムリードインエリア１３を検出し、ステップＳ１１で、コネクションエリア１４を通過し、ステップＳ１２で、データリードインエリア１５を検出した後、ステップＳ１３で、データエリア１６に対する記録再生を実行して、動作を終了（ステップＳ１４）する。
【００３５】
以上の動作では、ＢＣＡ１２を検出した後、直ちに光ディスク１１がＬ−Ｈ媒体であるかＨ−Ｌ媒体であるかの判別を行なっているため、特にリードインエリアを再生する回路部の起動時間の短縮化を図ることができるという利点を有する。
【００３６】
ここで、ＢＣＡ１２からの再生信号レベルに基づいて、Ｌ−Ｈ媒体とＨ−Ｌ媒体との判別を行なう手法は、ＢＣＡ１２でのバーコード情報の書き込み形態に依存するため、２通りが存在する。
【００３７】
図７（ａ）は、ディスク基板３９の全面に記録膜４０を形成するという初期化処理を行なった後、記録膜４０を部分的に除去することによってバーコード情報が書き込まれている形態を示している。
【００３８】
この場合、Ｈ−Ｌ媒体の記録膜４０の光反射率は、Ｌ−Ｈ媒体の記録膜４０の光反射率よりも高く、つまり、Ｈ−Ｌ媒体の記録膜４０からの再生信号レベルの方が、Ｌ−Ｈ媒体の記録膜４０からの再生信号レベルよりも高くなっている。また、図７（ｂ）は、このような形態でＬ−Ｈ媒体及びＨ−Ｌ媒体のＢＣＡ１２に書き込まれたバーコード情報の再生信号レベルを示している。
【００３９】
すなわち、記録膜４０の無い部分は、光反射率がほぼ０％であるため、反射光の強度、つまり、再生信号の最低レベルはほぼ０となっている。そして、記録膜４０の有る部分からの再生信号の最大レベルＳmaxは記録膜４０の光反射率特性に相当することになり、精度よくＬ−Ｈ媒体とＨ−Ｌ媒体との光反射率の違いを評価することができる。
【００４０】
具体的に言えば、Ｈ−Ｌ媒体の再生信号の最大レベルＳmax（Ｈ−Ｌ）の下限と、Ｌ−Ｈ媒体の再生信号の最大レベルＳmax（Ｌ−Ｈ）の上限との間に、判別基準レベルを設けて再生信号の最大レベルＳmaxを比較することにより、Ｌ−Ｈ媒体とＨ−Ｌ媒体との識別を行なっている。
【００４１】
そして、このように再生信号レベルからの判別を行なった後、その判別結果とＢＣＡ１２から読み取った規格書のBook Version情報とを照合することにより、判別結果の信頼性をさらに向上させている。
【００４２】
次に、記録膜の初期化及び未初期化の違いでバーコード情報を書き込む形態について説明する。この形態では、図８（ａ）に示すように、ディスク基板４１の全面に未初期化状態の記録膜４２を形成し、この記録膜４２を部分的に初期化することによってバーコード情報を書き込んでいる。図８（ａ）において、記録膜４２の斜線で示す部分が初期化された部分である。
【００４３】
この場合、ＢＣＡ１２の記録膜４２は、そのほとんどが未初期化状態となっている。このため、ＢＣＡ１２の再生信号としては、未初期化状態で得られるレベルの方が、初期化状態で得られるレベルよりも圧倒的に多いものとなる。
【００４４】
すなわち、図８（ｂ）に示すように、Ｌ−Ｈ媒体の場合、未初期化部分では反射率が高く、その再生信号がＨレベルとなり、初期化部分では反射率が低く、その再生信号がＬレベルとなっている。このため、Ｈレベルの再生信号が得られる割合の方が、Ｌレベルの再生信号が得られる割合よりも非常に多くなって、Ｌ−Ｈ媒体であると判別することができる。
【００４５】
逆に、図８（ｃ）に示すように、Ｈ−Ｌ媒体の場合、未初期化部分では反射率が低く、その再生信号がＬレベルとなり、初期化部分では反射率が高く、その再生信号がＨレベルとなっている。このため、Ｌレベルの再生信号が得られる割合の方が、Ｈレベルの再生信号が得られる割合よりも非常に多くなり、Ｈ−Ｌ媒体であると判別することができる。
【００４６】
なお、バーコード情報を記録する前の記録膜４２の全体を初期化状態としておき、部分的に未初期化状態に戻すことによってバーコード情報が書き込まれる形態であっても、上記同様に再生信号レベルからＬ−Ｈ媒体とＨ−Ｌ媒体とを判別することが可能である。
【００４７】
ただし、この場合には、Ｈレベルの再生信号が得られる割合が、Ｌレベルの再生信号が得られる割合よりも多くなった場合にＨ−Ｌ媒体であり、Ｌレベルの再生信号が得られる割合が、Ｈレベルの再生信号が得られる割合よりも多くなった場合にＬ−Ｈ媒体であるというように、判別結果が上記と逆になる。
【００４８】
そして、このように再生信号レベルからの判別を行なった場合も、その判別結果とＢＣＡ１２から読み取った規格書のBook Version情報とを照合することにより、判別結果の信頼性をさらに向上させることができる。
【００４９】
図９は、以上に述べた光ディスク１１の判別動作、特に、図６に示したステップＳ７〜Ｓ９の部分の動作を詳細に説明するためのフローチャートを示している。まず、動作が開示（ステップＳ１５）され、ステップＳ１６で、ＢＣＡ１２が検出されると、ＭＰＵ部３６は、ステップ１７で、再生信号レベルを評価し、ステップ１８で、Ｌ−Ｈ媒体かＨ−Ｌ媒体かを判別する。
【００５０】
そして、Ｌ−Ｈ媒体であると判断された場合、ＭＰＵ部３６は、ステップ１９で、ＢＣＡ１２からの再生信号を増幅する再生回路（例えばデータプロセッサ部２０に内蔵されている記録または再生のための信号処理部の一部である）のゲインを、Ｌ−Ｈ媒体に適応した値に切り替える。
【００５１】
その後、ＭＰＵ部３６は、ステップ２０で、ＢＣＡ１２からバーコード情報であるBook Version情報を読み取って再生し、ステップ２１で、このBook Version情報と先にステップＳ１８で判別した結果とを照らし合わせ、ステップ２２で、両者が一致しているか否かを判別する。
【００５２】
ここで、一致していないと判断された場合（ＮＯ）、ＭＰＵ部３６は、ステップＳ１７の処理に戻され、一致していると判断された場合（ＹＥＳ）、ステップＳ２３で、記録または再生のための上記信号処理部をＬ−Ｈ媒体に適応した状態に設定して、動作を終了（ステップ２４）する。
【００５３】
一方、上記ステップＳ１８でＨ−Ｌ媒体であると判断された場合、ＭＰＵ部３６は、ステップ２５で、ＢＣＡ１２からの再生信号を増幅する再生回路（例えばデータプロセッサ部２０に内蔵されている記録または再生のための信号処理部の一部である）のゲインを、Ｈ−Ｌ媒体に適応した値に切り替える。
【００５４】
その後、ＭＰＵ部３６は、ステップ２６で、ＢＣＡ１２からバーコード情報であるBook Version情報を読み取って再生し、ステップ２７で、このBook Version情報と先にステップＳ１８で判別した結果とを照らし合わせ、ステップ２８で、両者が一致しているか否かを判別する。
【００５５】
ここで、一致していないと判断された場合（ＮＯ）、ＭＰＵ部３６は、ステップＳ１７の処理に戻され、一致していると判断された場合（ＹＥＳ）、ステップＳ２９で、記録または再生のための上記信号処理部をＨ−Ｌ媒体に適応した状態に設定して、動作を終了（ステップ２４）する。
【００５６】
上記のように、ＢＣＡ１２からの再生信号レベルを用いてＬ−Ｈ媒体とＨ−Ｌ媒体との判別を行なうために、第１０図に示すように、Ｌ−Ｈ媒体はその初期化状態での光反射率を４〜１０%に設定し、Ｈ−Ｌ媒体はその初期化状態での光反射率を１２〜３０%に設定している。
【００５７】
これは、両媒体の初期化状態（Ｌ−Ｈ媒体のＬレベルとＨ−Ｌ媒体のＨレベル）での光反射率の範囲が重複しない、つまり、Ｈ−Ｌ媒体の初期化状態であるＨレベルの光反射率が、Ｌ−Ｈ媒体の初期化状態であるＬレベルの光反射率の上限より高いことが必要であるからである。
【００５８】
現状における光反射率測定による判別手段でも利用されているように、書き替え型の光ディスク１１に用いられる相変化膜の反射率は、一般的に３０％よりも低いため、再生信号のコントラストが良好であるためには、Ｌレベルの光反射率はできる限り低い（０%に近い）方がよい。
【００５９】
一方、Ｌ−Ｈ媒体では、初期化状態では全てのエリアから得られる再生信号がＬレベルになっており、アドレス情報を再生することを考慮すると、Ｌレベルの光反射率は再生可能なレベルに留める必要性がある。
【００６０】
このためには、再生回路のゲインの電気雑音を考慮すると、５％以上の光反射率が一般的に望ましく、これ以下の光反射率の再生信号を検出する場合は、回路部品の改良が必要になり、現状での実現は困難となる。
【００６１】
しかしながら、信号検出が容易なようにＬレベルの光反射率を高めていくと、再生信号レベルは増大するが、全体の信号レベルも一様に増大し、これに対する雑音も増大するためＳ／Ｎが低下する。このため、光反射率は、８%以下程度に抑えることが望ましい。以上の説明から、Ｌ−Ｈ媒体の初期化状態での光反射率を４〜１０%に定めることが、良好な信号特性を得る媒体を製造するために必要である。
【００６２】
また、Ｈ−Ｌ媒体でも信号特性を良好にするためには、初期化状態（Ｈレベル）の光反射率として１５％程度が必要であることがわかってきているが、それ以下でも製造は可能である。
【００６３】
しかしながら、単層のＬ−Ｈ媒体とＨ−Ｌ媒体との混在使用を可能とするために、Ｈ−Ｌ媒体のＨレベルの光反射率が、Ｌ−Ｈ媒体のＬレベルの上限光反射率である１０%より高いことが必要であるため、１２%以上であると規定する。
【００６４】
また、Ｈ−Ｌ媒体のＨレベルの上限光反射率については、一般的な相変化材の光反射率の上限の３０%程度が入ればよいので、３０%と規定しておく。以上のように、単層書き替え型光ディスク１１の初期化状態の光反射率を定めることにより、良好な再生信号品質を保持して、Ｈ−Ｌ媒体とＬ−Ｈ媒体とを正確に判別することができる。
【００６５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素からいくつかの構成要素を削除しても良いものである。
【図面の簡単な説明】
【００６６】
【図１】この発明の実施の形態を示すもので、単層書き替え型光ディスクにおける情報記録領域の構造を説明するために示す図。
【図２】同光ディスクにおけるＢＣＡにバーコードによって情報が書き込まれていることを説明するために示す図。
【図３】同光ディスクにおけるＢＣＡにバーコードによって書き込まれた情報の詳細を説明するために示す図。
【図４】同光ディスクにおけるシステムリードインエリア、コネクションエリア及びデータリードインエリアのデータ構造を説明するために示す図。
【図５】同光ディスクに対して情報の記録再生を行なう光ディスク装置を説明するために示すブロック構成図。
【図６】同光ディスク装置における光ディスクを自動判別して記録再生処理を行なう動作を説明するために示すフローチャート。
【図７】同光ディスクにおけるＢＣＡでのバーコード情報の書き込み形態の一例と同光ディスク装置における再生信号との関係を説明するために示す図。
【図８】同光ディスクにおけるＢＣＡでのバーコード情報の書き込み形態の他の例と同光ディスク装置における再生信号との関係を説明するために示す図。
【図９】同光ディスク装置における光ディスクを自動判別して記録再生処理を行なう動作の要部を詳細に説明するために示すフローチャート。
【図１０】同光ディスクの種類に応じた初期化状態での光反射率の設定状態を説明するために示す図。
【符号の説明】
【００６７】
１１…光ディスク、１２…ＢＣＡ、１３…システムリードインエリア、１４…コネクションエリア、１５…データリードインエリア、１６…データエリア、１７…データリードアウトエリア、１８…光ディスク装置、１９…ディスクドライブ部、２０…データプロセッサ部、２１…メモリ部、２２…分離部、２３…映像デコーダ部、２４…音声デコーダ部、２５…副映像デコーダ部、２６…映像プロセッサ部、２７，２８…Ｄ／Ａ変換部、２９，３０…Ａ／Ｄ変換部、３１…映像プロセッサ部、３２…映像エンコーダ部、３３…副映像エンコーダ部、３４…音声エンコーダ部、３５…合成部、３６…ＭＰＵ部、３７…ＲＯＭ部、３８…キー入力部、３９…ディスク基板、４０…記録膜、４１…ディスク基板、４２…記録膜。
【図１】
2005092964.tif 000003
【図２】
2005092964.tif 000004
【図３】
2005092964.tif 000005
【図４】
2005092964.tif 000006
【図５】
2005092964.tif 000007
【図６】
2005092964.tif 000008
【図７】
2005092964.tif 000009
【図８】
2005092964.tif 000010
【図９】
2005092964.tif 000011
【図１０】
2005092964.tif 000012